(57)【特許請求の範囲】
【請求項１】
センタープレートを中心としてその上下に夫々逆方向の起磁力を有するマグネットとプレートを順次重ねるように配置し、前記センタープレートと対向する位置にボイスコイルを駆動する磁界が発生する空間を介してアウターリングを配置し、磁束ループが前記夫々のマグネットからセンタープレートに流れ込み、前記磁界が発生する空間を通り前記アウターリングに流れ込み、さらに、アウターリングから前記磁界と逆方向の磁界が発生する上下の空間を通り前記上下のプレートに流れ込み、上下のプレートを通って前記夫々のマグネットに流れ込むように形成される反発磁気回路において、前記上下のプレートの周辺を前記マグネットから離れるように曲げたことを特徴とするスピーカの磁気回路。
【請求項２】
前記プレートの周辺を断面が略Ｌ字型となるように曲げた請求項１のスピーカの磁気回路。
【請求項３】
前記プレートの周辺を断面が段差を形成するように曲げた請求項１のスピーカの磁気回路。
【請求項４】
前記プレートの周辺曲げ部の外面の曲率半径を前記プレートの厚みの０．５倍以上とした請求項１から３のいずれかに記載されたスピーカの磁気回路。
【請求項５】
前記プレートの周辺曲げ部のマグネットとの固着面からの高さを前記プレートの厚みの１．５倍以上とした請求項１から４のいずれかに記載されたスピーカの磁気回路。
【発明の詳細な説明】
【０００１】
【発明の属する技術分野】
この発明はスピーカの磁気回路に係わり、特に、振動板の振幅を大きくすることが可能な反発磁気回路に関する。
【０００２】
【従来の技術】
従来の反発磁気回路を用いたスピーカの例を図６に示す。図に示すマグネットホルダ１とフレーム２が固着されてスピーカの支持体が形成されている。なお、マグネットホルダ１は非磁性体材料で作られている。
【０００３】
マグネットホルダ１に円板状のプレート５ｃ、マグネット３、センタープレート４、マグネット３およびプレート５ｃが順次重なるように固定されている。プレート５ｃ、５ｃおよびセンタープレート４は磁性体であり、マグネット３、３はセンタープレート４を挟んで磁極が対向するように配置されている。
【０００４】
センタープレート４と対向する位置に磁性体のアウターリング８が固定されている。これらの部材は反発磁気回路を構成しており、ボイスコイルボビン６に巻かれたボイスコイル７がこの反発磁気の磁界に位置するようにボイスコイルボビン６がダンパー９を介してフレーム２に支持されている。振動板１０の外周はフレーム２に支持され、内周はボイスコイルボビン６に接着されている。振動板１０の中央部にはキャップ１１が取付けられボイスコイル７周囲の空間にごみが入るのが防止される。
【０００５】
図７に上記スピーカの磁気回路の部分を詳しく示す。図７に示すように、磁束の中心を示す磁束ループ１２ｃ、１２ｃはセンタープレート４からアウターリング８に流れ込み、アウターリング８からプレート５ｃ、５ｃに流れ込むように形成されており、センタープレート４の中心では外側に放射される＋磁界となり、プレート５ｃ、５ｃの外側では内部に向う−磁界となる。
【０００６】
【発明が解決しようとする課題】
上記した従来の磁気回路は、ボイスコイル７の自然状態での中心に＋磁界が配置されるが−磁界の位置がボイスコイル７の自然状態での中心に近く、その−磁界により振動板１０の振幅が制限されて、十分な音圧が得られないという問題があった。
【０００７】
この発明は上記した点に鑑みてなされたものであって、その目的とするところは、磁気回路で発生する−磁界の位置をボイスコイルの自然状態での中心から遠くなるようにすることができるスピーカの磁気回路を提供することにある。
【０００８】
【課題を解決するための手段】
この発明のスピーカの磁気回路は、センタープレートを中心としてその上下に夫々マグネットとプレートを順次重ねるように配置し、前記センタープレートと対向する位置にボイスコイルを駆動する磁界が発生する空間を介してアウターリングを配置し、磁束ループが前記夫々のマグネットからセンタープレートに流れ込み、前記磁界が発生する空間を通り前記アウターリングに流れ込み、さらに、アウターリングから前記磁界と逆方向の磁界が発生する上下の空間を通り前記上下のプレートに流れ込み、上下のプレートを通って前記夫々のマグネットに流れ込むように形成される反発磁気回路において、前記上下のプレートの周辺を前記マグネットから離れるように曲げたものである。
【０００９】
また、前記磁気回路において、前記プレートの周辺を断面が略Ｌ字型となるように曲げたものである。
【００１０】
また、同前記磁気回路において、前記プレートの周辺を断面が段差を形成するように曲げたものである。
【００１１】
また、前記各磁気回路において、前記プレートの周辺曲げ部の外面の曲率半径を前記プレートの厚みの０．５倍以上としたものである。
【００１２】
また、前記各磁気回路において、前記プレートの周辺曲げ部のマグネットとの固着面からの高さを前記プレートの厚みの１．５倍以上としたものである。
【００１３】
【発明の実施の形態】
この発明の実施例であるスピーカを図面に基づいて説明する。図１はこの発明の第１の実施例であるスピーカを示す断面図、図２は同スピーカの磁気回路の部分を示す拡大断面図である。図１および図２において、従来例で説明したものと同様の部材は同一の符号が付されており、その詳細な説明を省略する。
【００１４】
この例ではマグネット３、３に固着されるプレート５ａ、５ａはその周辺部がＬ字形に曲げられている。
【００１５】
図２に詳しく示すプレート５ａの厚みｔに対してＬ字形の高さｈは１．５ｔ以上であり、曲げ部外側の曲率半径Ｒは０．５ｔ以上となっている。このようにプレート５ａの外周部が曲げられているので、図１に示すように磁束ループ１２ａはプレート５ａの端面に吸引され、−磁界がボイスコイル７の自然状態での中心位置から離れる。
【００１６】
図３はこの発明の第２の実施例であるスピーカを示す断面図、図４は同スピーカの磁気回路の部分を示す拡大断面図である。図３および図４において、従来例で説明したものど同様の部材は同一の符号が付されており、その詳細な説明を省略する。
【００１７】
この例ではマグネット３、３に固着されるプレート５ｂ、５ｂはその周辺部が段差を形成するように曲げられている。
【００１８】
図４に詳しく示すプレート５ｂの厚みｔに対して曲げ部の高さｈは１．５ｔ以上であり、曲げ部外側の曲率半径Ｒは０．５ｔ以上となっている。このようにプレート５ｂの外周部が曲げられているので、図３に示すように磁束ループ１２ｂはプレート５ｂの端面に吸引され、−磁界がボイスコイル７の自然状態での中心位置から離れる。
【００１９】
図５に上記各実施例と従来例での磁束密度の分布を比較して示す。図５に示すグラフの横軸はセンタープレートの厚み中心からの距離であり、縦軸は磁束密度である。そして、磁束密度の測定点は上記各距離でのセンタープレートとリングとの間の空隙である。
【００２０】
図５のグラフＡで示すように、従来の磁気回路の磁束密度はセンタープレートの中心部近傍で約１０，３００ガウスであり、逆磁界の極大値は５，０００ガウスである。一方、本発明の第１の実施例の磁気回路はグラフＢで示すように、磁気回路の磁束密度はセンタープレートの中心部近傍で約１０，３００ガウスであり、逆磁界の極大値は４，４００ガウスである。また、本発明の第２の実施例のの磁気回路はグラフＣで示すように、磁気回路の磁束密度はセンタープレートの中心部近傍で約１０，３００ガウスであり、逆磁界の極大値は４，１００ガウスである。
【００２１】
このように、磁気回路の逆磁界の極大値が従来のものより小さくその位置はセンタープレートの中心部から離れているので、ボイスコイルが広い範囲に亘り逆磁界の影響を受けず、振動板の振幅を大きくすることができる。
【００２２】
実施例は以上のように構成されているが、発明はこれに限られず、例えば、プレートの周辺を円錐面を形成するように曲げてもよい。
【００２３】
【発明の効果】
この発明のスピーカの磁気回路によれば、磁気回路の逆磁界の極大値が従来の磁気回路に比べて小さく、しかもその位置がセンタープレートの中心部から遠い位置にあるため、ボイスコイルが広い範囲に亘り逆磁界の影響を受けず、振動板の振幅を大きくすることができて、音圧を確保することができる。
【図面の簡単な説明】
【図１】この発明の第１の実施例であるスピーカを示す断面図である。
【図２】同スピーカの磁気回路の部分を示す拡大断面図である。
【図３】この発明の第２の実施例であるスピーカを示す断面図である。
【図４】同スピーカの磁気回路の部分を示す拡大断面図である。
【図５】従来のスピーカの磁気回路と本発明のスピーカの磁気回路の磁束密度を比較して示すグラフである。
【図６】従来のスピーカの例を示す断面図である。
【図７】同スピーカの磁気回路の部分を示す拡大断面図である。
【符号の説明】
１  マグネットホルダ
２  フレーム
３  マグネット
４  センタープレート
５ａ、５ｂ、５ｃ  プレート
６  ボイスコイルボビン
７  ボイスコイル
８  アウターリング
９ダンパ
１０  振動板
１１  キャップ
１２ａ、１２ｂ、１２ｃ  磁束ループ
【図１】
0003911420.tif 000002
【図２】
0003911420.tif 000003
【図３】
0003911420.tif 000004
【図４】
0003911420.tif 000005
【図５】
0003911420.tif 000006
【図６】
0003911420.tif 000007
【図７】
0003911420.tif 000008